(57)【要約】【課題】ローラースタンプにおいて使用時と非使用時の切替を容易に行うことができるとともに、非使用時においては誤って印面が露出してしまう事態を防止する技術を提供することを目的とする。【解決手段】ローラーの押出し動作によって、ローラーをケースの開口側に移動させたとき、印面のカバーが回転して印面が開口において露出する。したがって、ローラースタンプの使用時と非使用時の切替を容易に行うことができる。またカバー部材は、ローラーが押し出される前は印面の開口側を覆っているので、ローラースタンプの非使用時に誤って印面が露出される事態を防止することが可能である。【選択図】図３
2011143624.tif 000002
【特許請求の範囲】
【請求項１】
外周に印面が設けられた回転体と、
前記印面の少なくとも一部が通過可能な大きさに形成された開口部を有し、前記回転体を収容するケースと、
前記回転体をその軸中心に回転自在とし、かつ前記印面の一部が該開口部側に臨むように支持する支持部と、
前記支持部により前記回転体と独立に回転可能に支持され、前記印面の前記開口部に臨む部分を覆うカバー部材と、
前記回転体が前記支持部と一体に該開口部側へ押出されることにより前記印面の少なくとも一部を該開口部から突出させる押出部と、
前記開口部と反対側に前記押出部を付勢する弾性部材と、
前記押出部により前記回転体が押出されたとき、該押出し動作に連動して前記支持部を回転させる連動機構と、を備え、
前記支持部の回転により、前記カバー部材が前記ケースの内部側へ向かって回転し、前記印面の前記開口部側を開放すること、
を特徴とするスタンプ装置。
【請求項２】
前記回転体は、前記支持部から取り外し可能であり、
前記ケースは第１ケース部材と第２ケース部材とを有して構成され、
前記第２ケース部材は前記第１ケース部材に回動可能に支持され、かつ該第１ケース部材との隣接部分において該第１ケース部材に対し係止される係止部と、前記第１ケース部材側に突出するとともに該係止状態において前記押出部に当接することにより、該押出部を介して前記回転体を前記開口部側に近づける突部とを有し、
前記第２ケース部材と前記第１ケース部材との係止が解除されて互いに離隔する方向に回動されたとき、前記回転体の前記第２ケース部材側が解放されて該回転体が交換可能となり、かつ前記突部と前記押出部とが離れることにより、該押出部が前記弾性部材に付勢されて移動されるとともに、該押出部の移動に連動して前記カバー部材が回転し、該カバー部材が前記回転体における解放された側の部分を覆うこと、
を特徴とする請求項１に記載のスタンプ装置。
【請求項３】
前記カバー部材は、前記回転体における前記印面の曲率に対応した円弧状の曲面と、該カバー部材の回転軸の少なくとも一方の端部に形成され、該円弧状の曲面と該回転軸との間の部分を覆う側板と、該側板における該回転体側の面に形成された爪部とを有し、
前記回転体の軸方向の端部において該回転体を挟んで保持する保持枠と、
前記保持枠における前記回転体側の反対側となる面において、略円形状に配列された複数の凹部と、
前記回転体が回転すると、前記カバー部材の前記爪部が、前記保持枠における凹部に接触することにより、該回転に対する抵抗となること、
を特徴とする請求項１に記載のスタンプ装置。
【請求項４】
外周に印面が設けられた回転体と、
第１ケース部材と、前記第１ケース部材に回動可能に支持されるとともに、該第１ケース部材との隣接部分において該第１ケース部に対し係止され、該係止状態において前記回転体を前記開口部側に近づける第２ケース部材とを有し、かつ前記印面の少なくとも一部が通過可能な大きさに形成された開口部が設けられ、前記回転体を収容するケースと、
前記回転体をその軸中心に回転自在とし、かつ前記印面の一部が該開口部側に臨むように支持する支持部と、
前記支持部により前記回転体と独立に回転可能に支持され、前記印面の前記開口部に臨む部分を覆うカバー部材と、
前記回転体が前記支持部と一体に該開口部側へ押出されることにより該印面の少なくとも一部を該開口部から突出させる押出部と、
前記開口部と反対側に前記押出部を付勢する弾性部材と、
前記第２ケース部材と前記第１ケース部材との係止が解除され、かつ該第１ケース部材に対して離隔する方向に回動されるとともに、前記突部と前記押出部とが離れたとき、該押出部が前記弾性部材に付勢されて移動されることにより、該押出部の移動に連動して前記支持部を回転させる連動機構と、を備え、
前記支持部の回転にしたがって前記カバー部材が回転し、該カバー部材が前記回転体における前記第２ケース部材側の部分を覆うこと、
を特徴とするスタンプ装置。
【発明の詳細な説明】
【技術分野】
【０００１】
本発明は回転体により被転写面に対して印字をすることが可能なスタンプ装置に関する。特にスタンプ装置の非使用時において回転体の印面を覆う技術に関する。
【背景技術】
【０００２】
従来、回転体を紙等の被転写体に押圧しながら回転させ、当該被転写体に印字をするローラースタンプがあった。このローラースタンプは、外周に印面を有する略円柱または略円筒状の回転体と、当該回転体を軸支（回転可能に支持）するとともに収容する収容体とを備えている。回転体及び収容体のうち、いずれか一方には軸受が設けられ、対する他方には当該軸受に支持される軸部が設けられる。ローラースタンプの操作者は、この収容体を保持しつつ、回転体を押圧するとともに回転させ、被転写体に対して印字操作を行う。
【０００３】
またこのような従来のローラースタンプは、収容体から回転体の印面が少なくとも一部露出していなければ、被転写体に対して印字を行うことができない。したがって、収容体は、当該収容体の保持部に対する反対側に開口部が設けられている。操作者は保持部を保持し、開口部から一部露出した回転体の印面を被転写体に押圧する。
【０００４】
ただしローラースタンプは、非使用時にいずれかの場所に載置されることになる。この非使用時において印面が露出したままとなっていれば、載置された場所や、ローラースタンプの付近にあるもの等が汚れてしまうおそれがある。
【０００５】
そこで従来、ローラースタンプは、収容部の開口部側に蓋が設けられていた。この点、特許文献１に記載のローラースタンプは、収容部に対して回転可能に支持された蓋を備えている。この蓋は、回転体の印面より外側で回転する。すなわちこの回転体は回転することにより、収容部の開口部側と、その反対側となる保持部側の位置との間で位置を切り替えることができる。
【０００６】
蓋は、収容部の保持部側に位置するとき、収容部と回転体とに挟まれた状態となり、収容部の開口部側が開放され、印字が可能となる。これに対し蓋が開口部側に位置するとき、回転体の露出された印面が覆われた状態となる。特許文献１に記載のローラースタンプは、蓋の紛失を防ぐことが可能となる。
【先行技術文献】
【特許文献】
【０００７】
【特許文献１】特開２００４−９０５７７号公報
【発明の概要】
【発明が解決しようとする課題】
【０００８】
特許文献１をはじめとする従来のローラースタンプは非使用時において蓋が露出しているため、次のような問題がある。すなわち、ローラースタンプを非使用状態にしてから、いずれかの場所に載置または収容していたとしても、蓋に対してなんらかの衝撃や特定方向からの力が加わった場合、蓋が開いてしまうおそれがある。例えばローラースタンプがカバンに収容されている状態において、ローラースタンプの蓋に接触しているものが移動し、ローラースタンプの蓋を開けてしまう状況が想定される。
【０００９】
この点、従来のローラースタンプにおいても、誤って蓋が開く事態を回避しようとする構成を備えているものもある。例えば特許文献１に記載のローラースタンプにおいても、意に反して蓋が開放されることを防ぐため、蓋の端部に小突起（特許文献１の符号１６）を設けている。この突起は、印面を塞いでいる時、収容部の開口部側端部に接しており、誤って蓋が開いてしまう事態を防ぐ意図で設けられている。
【００１０】
しかしながら、特許文献１の蓋は使用時に開放されるものであり、少なくとも操作者が容易に開放できなければ、ローラースタンプとして使用しづらいものとなってしまう。これに対し蓋を容易に開放することができてしまうと、誤って蓋が開いてしまうおそれが高まる。このように特許文献１のローラースタンプは、その構造上、２つの背反する課題があり、双方を解決することが困難である。
【００１１】
この発明は、以上の問題点に鑑みてなされたものであって、その目的は、ローラースタンプ（スタンプ装置）において使用時と非使用時の切替を容易に行うことができるとともに、非使用時においては誤って印面が露出してしまう事態を防止する技術を提供することにある。
【課題を解決するための手段】
【００１２】
上記の課題を解決するために、請求項１に記載の発明は、外周に印面が設けられた回転体と、前記印面の少なくとも一部が通過可能な大きさに形成された開口部を有し、前記回転体を収容するケースと、前記回転体をその軸中心に回転自在とし、かつ前記印面の一部が該開口部側に臨むように支持する支持部と、前記支持部により前記回転体と独立に回転可能に支持され、前記印面の前記開口部に臨む部分を覆うカバー部材と、前記回転体が前記支持部と一体に該開口部側へ押出されることにより前記印面の少なくとも一部を該開口部から突出させる押出部と、前記開口部と反対側に前記押出部を付勢する弾性部材と、前記押出部により前記回転体が押出されたとき、該押出し動作に連動して前記支持部を回転させる連動機構と、を備え、前記支持部の回転により、前記カバー部材が前記ケースの内部側へ向かって回転し、前記印面の前記開口部側を開放すること、を特徴とするスタンプ装置である。
【発明の効果】
【００１３】
上記請求項１にかかるスタンプ装置によれば、押出し動作によって、回転体を開口部側に移動させたとき、印面のカバーが回転して印面が開口部において露出する。したがって、スタンプ装置の使用時と非使用時の切替を容易に行うことができる。またカバー部材は、回転体が押出される前は印面の開口部側を覆っているので、スタンプ装置の非使用時に誤って印面が露出される事態を防止することが可能である。
【図面の簡単な説明】
【００１４】
【図１】（Ａ）この発明の実施形態にかかるローラースタンプの収納時の状態を示す概略正面図。  （Ｂ）この発明の実施形態にかかるローラースタンプの使用時の状態を示す概略正面図。
【図２】（Ａ）この発明の実施形態にかかるローラースタンプの収納時の状態を示す概略側面図。  （Ｂ）この発明の実施形態にかかるローラースタンプの使用時の状態を示す概略側面図。
【図３】（Ａ）図２（Ａ）におけるローラースタンプの概略Ａ−Ａ断面図。  （Ｂ）図２（Ｂ）におけるローラースタンプの概略Ｂ−Ｂ断面図。
【図４】（Ａ）この発明の実施形態にかかるローラースタンプにおいて、収納時の内部の状態を示す概略断面図。  （Ｂ）この発明の実施形態にかかるローラースタンプにおいて、ノック途中の内部の状態を示す概略断面図。  （Ｃ）この発明の実施形態にかかるローラースタンプにおいて、使用時の内部の状態を示す概略断面図。
【図５】（Ａ）この発明の実施形態にかかるローラースタンプのカムを示す概略斜視図。  （Ｂ）この発明の実施形態にかかるローラースタンプのカムをケースの開口部側から見た概略底面図。  （Ｃ）この発明の実施形態にかかるローラースタンプのスプリングロッドを示す概略側面図。  （Ｄ）この発明の実施形態にかかるローラースタンプのスプリングロッドをケースの開口部側から見た概略底面図。
【図６】この発明の実施形態にかかるローラースタンプにおける各部の構成および各部の接続関係の概要を示す概略分解斜視図。
【図７】（Ａ）この発明の実施形態にかかるローラースタンプのノブを示す概略斜視図。  （Ｂ）図７（Ａ）におけるローラースタンプのＣ−Ｃ部分の構成を含む概略正面図。
【図８】この発明の実施形態にかかるローラースタンプのカムケースを示す概略斜視図。
【図９】この発明の実施形態にかかるローラースタンプのカムケースをケースの開口部側から見た概略斜視図。
【図１０】この発明の実施形態にかかるローラースタンプのカムケースの内部構成を含む概略正面図。
【図１１】この発明の実施形態にかかるローラースタンプにおける、カバーの側板および爪部と、ローラー保持枠の凹部を示す概略断面図である。
【図１２Ａ】この発明の実施形態にかかるローラースタンプにおいて、収納時の内部の状態を示す概略切断端面図。
【図１２Ｂ】この発明の実施形態にかかるローラースタンプにおいて、ノック途中の内部の状態を示す概略切断端面図。
【図１２Ｃ】この発明の実施形態にかかるローラースタンプにおいて、使用時の内部の状態を示す概略切断端面図。
【図１３】（Ａ）この発明の実施形態にかかるローラースタンプにおいて、図３（Ａ）の状態と図３（Ｂ）の状態との間における、ノック途中の内部の状態を示す概略断面図。  （Ｂ）図１３（Ａ）における状態を側方から見た場合の概略断面図。
【図１４】（Ａ）この発明の実施形態にかかるローラースタンプにおいて、第１ケース部材のロックが解除された状態を示す概略斜視図。  （Ｂ）図１４（Ａ）の状態における内部構造を示す概略切断端面図。
【図１５】（Ａ）この発明の実施形態にかかるローラースタンプにおいて、第２ケース部材の突部がカムケースの突起に係止された状態を示す概略断面図。  （Ｂ）この発明の実施形態にかかるローラースタンプにおいて、突部と突起との係止が解除された状態を示す概略断面図。
【図１６Ａ】この発明の実施形態にかかるローラースタンプにおいて、突部と突起との係止状態が解除されていく動作の概略を示す概略断面図。
【図１６Ｂ】この発明の実施形態にかかるローラースタンプにおいて、突部と突起との係止状態が解除されていく動作の概略を示す概略断面図。
【図１６Ｃ】この発明の実施形態にかかるローラースタンプにおいて、突部と突起との係止状態が解除されていく動作の概略を示す概略断面図。
【図１７】（Ａ）この発明の実施形態にかかるローラースタンプにおいて、第２ケース部材が開かれ、交換可能となった状態を示す概略切断端面図。  （Ｂ）この発明の実施形態にかかるローラースタンプにおいて、カートリッジが取り外された状態を示す概略切断端面図。
【発明を実施するための形態】
【００１５】
以下、本発明の実施形態の一例について図１〜図１７を参照して説明する。
【００１６】
（全体構成）
この発明の第１実施形態にかかるローラースタンプ１００の全体構成の概略について、図１および図２を参照して説明する。図１（Ａ）は、この発明の実施形態にかかるローラースタンプ１００の収納時の状態を示す概略正面図である。図１（Ｂ）は、この発明の実施形態にかかるローラースタンプ１００の使用時の状態を示す概略正面図である。図２（Ａ）は、この発明の実施形態にかかるローラースタンプ１００の収納時の状態を示す概略側面図である。図２（Ｂ）は、この発明の実施形態にかかるローラースタンプ１００の使用時の状態を示す概略側面図である。
【００１７】
なお以下の実施形態において、ローラースタンプ１００は、本発明にかかる「スタンプ装置」の一例に該当する。ロック１０２は、本発明にかかる「係止部」の一例に該当する。ガイド１０３、フレーム１２０およびキャッチャー１２４は本発明にかかる「支持部」、「連動機構」の一例に該当する。ノック機構１１０は、本発明にかかる「押出部」の一例に該当する。スプリング１１２、スプリング１１７の少なくともいずれか一方は、本発明にかかる「弾性部材」の一例に該当する。ローラー２００は、本発明にかかる「回転体」の一例に該当する。
【００１８】
この実施形態のローラースタンプ１００はいわゆるローラースタンプであり、ローラーの印面２１５（図１（Ａ）参照）を紙葉類等の被転写体に押圧しながら回転させ、当該被転写体に印字をするものである。ここで印字される内容は、任意の文字列や図形、記号等であってもよく、また被転写面に印刷された内容を視認不可能とするセキュリティスタンプであってもよい。なお、セキュリティスタンプとは、印刷内容を視認不可能とするように、例えば意味を成さない文字列、記号または図形のうちいずれか１種又は複数の組み合わせを所定の密度で印面に形成したものである。
【００１９】
また、ローラースタンプ１００におけるローラー２００にはインクが含浸されている。すなわち印面２１５が被転写体に押圧されると、この含浸インクが染み出て印面２１５に設けられた文字列、記号や図形が被転写体に転写され、印字されるものである。
【００２０】
図１（Ａ）および図２（Ａ）に示すように、ローラースタンプ１００は、被転写面に印字する印面２１５が設けられたローラー２００と、一端に開口部１０５が形成され、当該ローラー２００を収容するとともに支持するケース１０１と、ローラー２００の押出し操作を行うためのノック機構１１０とを有して構成される。またケース１０１は、第１ケース部材１０１ａと第２ケース部材１０１ｃとを有して構成されている。第２ケース部材１０１ｃは、ケース１０１の開口部１０５側の端部において第１ケース部材１０１ａに回動可能に支持されている。すなわち図２（Ａ）のＸ１方向に示すように、第２ケース部材１０１ｃは第１ケース部材１０１ａと離隔する方向に回動可能である。なお、第２ケース部材１０１ｃが第１ケース部材１０１ａに対して離隔する方向については、以下、単に「Ｘ１方向」と記載することがある。
【００２１】
また図１（Ａ）に示すように、ケース１０１において第１ケース部材１０１ａと第２ケース部材１０１ｃとは、第２ケース部材１０１ｃの回動軸と反対側、すなわちノック機構１１０側においてロック１０２を介して係止されている。このロック１０２は、第１ケース部材１０１ａと第２ケース部材１０１ｃとが最も近接した状態で固定することにより、ケース１０１の閉鎖状態を維持する。後述するように、このロック１０２は解除可能である。
【００２２】
なお「第２ケース部材１０１ｃの回動軸側」、「開口部１０５側」については、以下、単に「下端側」と記載することがある。また当該下端側と反対側すなわちノック機構１１０（図３参照）側については、以下、単に「上端側」と記載することがある。また、ローラースタンプ１００における上端側と下端側との間の面については、以下、単に「側面」と記載することがある。ここで、「上端」、「下端」と記載するのは説明の便宜上であって、必ずしもローラースタンプ１００の実際の向きを示すものではない。
【００２３】
またローラースタンプ１００は、ノック機構１１０を開口部１０５側に押し下げ可能となっている。操作者により当該押し下げ操作がなされると、図１（Ｂ）および図２（Ｂ）に示すようにケース１０１に収容されたローラー２００が開口部１０５側に押出され、ローラー２００の少なくとも一部が開口部１０５から突出し、印面２１５がケース１０１外に露出される。
【００２４】
（ノック機構の構成および押し下げ動作の概略）
次に、図３〜図５を参照してローラースタンプ１００のノック機構１１０の構造の概要および各部の動作とともに、ローラー２００の押し下げ動作の概要について説明する。図３（Ａ）は、図２（Ａ）におけるローラースタンプ１００の概略Ａ−Ａ断面図である。図３（Ｂ）は、図２（Ｂ）におけるローラースタンプ１００の概略Ｂ−Ｂ断面図である。図４（Ａ）は、この発明の実施形態にかかるローラースタンプ１００において、収納時の内部の状態を示す概略断面図である。図４（Ｂ）は、この発明の実施形態にかかるローラースタンプ１００において、ノック途中の内部の状態を示す概略断面図である。図４（Ｃ）は、この発明の実施形態にかかるローラースタンプ１００において、使用時の内部の状態を示す概略断面図である。図５（Ａ）は、この発明の実施形態にかかるローラースタンプ１００のカム１１６を示す概略斜視図である。図５（Ｂ）は、この発明の実施形態にかかるローラースタンプ１００のカム１１６をケース１０１の開口部１０５側から見た概略底面図である。図５（Ｃ）は、この発明の実施形態にかかるローラースタンプ１００のスプリングロッド１１９を示す概略側面図である。図５（Ｄ）は、この発明の実施形態にかかるローラースタンプ１００のスプリングロッド１１９をケース１０１の開口部１０５側から見た概略底面図である。
【００２５】
〔ノック機構の概要〕
まずローラースタンプ１００のノック機構１１０についての概要を説明する。図３（Ａ）に示すように、第１ケース部材１０１ａの上端側には、ノブ１１１を受け容れ可能な大きさの受入口が形成されている。ノブ１１１は、ほぼ全体がこの受入口に受け容れられている。このノブ１１１は下端側に移動可能である。
【００２６】
なお、必ずしも図３（Ａ）に示すように当該ケース１０１上端の受入口の口径とノブ１１１の外周の長さとをほぼ同じに形成する必要は無い。ただし図３（Ａ）に示されるローラースタンプ１００では、ノブ１１１が第１ケース部材１０１ａに対して上下動が可能な程度に、ノブ１１１の幅を当該受入口の口径より若干小径に（狭く）形成している。ノブ１１１をこのように構成することでノブ１１１の下方移動を安定させることができ、次に説明するノック動作を円滑に行うことが可能となる。また図３（Ａ）に示すようなにノブ１１１のほぼ全体が、ケース１０１の受入口に受け容れられる構成に限られないが、ローラースタンプ１００の印字操作を円滑に行うためには、受入口からノブ１１１が突出していないことが好ましい。
【００２７】
また図３（Ａ）および図４（Ａ）に示すように、ノブ１１１の下方にはスプリング１１２を介し、間隔を空けてカムケース１１４が配置されている。カムケース１１４は、下端側が平面状に形成されており、かつ当該面の中央は、ノブ１１１へ向かって円筒状に突出した突出部分１１４ａとなっている。このスプリング１１２は、当該円筒状の突出部分１１４ａの周囲に配置されている。またスプリング１１２の上端はノブ１１１の中央部の下端（図７・符号１１１ｃ参照）に当接している。これに対しスプリング１１２の下端は、カムケース１１４の下端面に当接している。したがって図３（Ａ）、図３（Ｂ）および図４（Ａ）〜（Ｃ）に示すようにノブ１１１は、スプリング１１２に付勢されて上端側に付勢されており、かつカムケース１１４の下端面との間で上下動が可能である。
【００２８】
また図３（Ａ）および図５（Ａ）・（Ｂ）に示すように、ノブ１１１の下方かつカムケース１１４の中央側には、下端側が開放され内部に空間を有する凸形状のカム１１６が配置されている。さらにカム１１６の下端には、カムケース１１４に挿通されたスプリングロッド１１９が嵌め込まれている。このスプリングロッド１１９は、上端が図４（Ｃ）に示すようにカム１１６の内部の凸形状に合致するように凸形状に形成されている。また、スプリングロッド１１９の凸形状部分の下方側にはフランジ１１９ａが形成されている。
【００２９】
また図３（Ａ）および図４（Ａ）に示すようにスプリングロッド１１９の周囲かつ、カムケース１１４の円筒部分の内周面との間にはスプリング１１７が配置されている。このスプリング１１７の上端はフランジ１１９ａの下面に当接している。
【００３０】
また図３（Ａ）および図４（Ａ）に示すように、カムケース１１４の下面に隣接して、略平板状のスプリングベース１１８が配置されている。このスプリングベース１１８は、第１ケース部材１０１ａに固定されている。またスプリングベース１１８は中央に貫通孔が設けられている。当該貫通孔の口径はスプリングロッド１１９を挿通可能な大きさであって、スプリング１１７を通さない大きさとなっている。
【００３１】
スプリング１１７は、下端がスプリングベース１１８に当接している。したがって図３（Ｂ）および図４（Ａ）〜（Ｃ）に示すようにカム１１６とスプリングロッド１１９は、スプリング１１７に付勢されて上端側に付勢されており、かつカムケース１１４の突出部分１１４ａからスプリングベース１１８の上端面との間でスプリング１１７の伸縮可能な距離だけ上下動が可能である。
【００３２】
また図３（Ａ）、図５（Ｃ）および図５（Ｄ）に示すように、スプリングロッド１１９の下端、言い換えると凸形状部分に対する他端は係合部１１９ｃが形成されている。この係合部１１９ｃは、スプリングベース１１８の貫通孔を通過して、スプリングベース１１８下方に間隔を空けて配置されたフレーム１２０の上面部の係合凹部に係合する。また図３（Ａ）・（Ｂ）に示すようにこのフレーム１２０には、ローラー保持枠２０４に保持されたローラーシャフト２０２、キャッチャー１２４、を介してローラー２００およびカバー２１０が接続されている。なお、カバー２１０とローラー２００の組み合わせについては、以下、「カートリッジ」と記載することがある（カートリッジ２１６／図３（Ａ）参照）。
【００３３】
以上が、本実施形態のノック機構１１０の構成の概要である。なお、ノック機構１１０のロック状態の構成の詳細およびノック動作およびカバー２１０の回転動作の詳細については、ガイド１０３、キャッチャー１２４の構成を説明した後、記載する。次に図３〜図５を参照して、ローラースタンプ１００全体の動作の概要を説明する。
【００３４】
〔押し下げ動作の概要〕
図４（Ａ）および図４（Ｂ）に示すように、操作者によりノブ１１１が下端側へ押し下げられると、ノブ１１１の下端に当接したスプリング１１２の付勢力に抗してノブ１１１が押し下げられる。このときノブ１１１の中央の突出部分１１１ａがカム１１６の上端側に当接したままカム１１６を押し下げる。
【００３５】
図４（Ｂ）に示すように、カム１１６が押し下げられ続けると、図３（Ｂ）に示すように、スプリングロッド１１９がスプリング１１７の付勢力に抗して押し下げられる。その結果、スプリングロッド１１９の係合部１１９ｃに係合されたフレーム１２０が開口部１０５に向かって押し下げられる。このとき、後述するようにフレーム１２０に嵌め込まれたキャッチャー１２４がガイド１０３にしたがって回転し、キャッチャー１２４に回動可能に支持されたカバー２１０が回転する。すなわち開口部１０５からケース１０１の外部に臨むカバー２１０が回転し、ケース１０１内部側へ回転する。
【００３６】
図３（Ｂ）に示すように、スプリングロッド１１９はスプリング１１７が最も縮んだ状態で下方移動が規制され、当該下方移動が停止される。このとき、カバー２１０は回転によって上端側へ向いており、ローラー２００はケース１０１の外部に臨んでいる。さらにローラー２００の印面２１５は押出し動作の完了にしたがって、その外周面に形成された印面２１５の一部が開口部１０５から露出する。以上が押し下げ動作の概要である。
【００３７】
（ローラースタンプの各部の構成および接続構造）
次に、図４〜図１１を参照してローラースタンプ１００の各部の構造および各部の接続関係について説明する。図６は、この発明の実施形態にかかるローラースタンプ１００の各部の構成および各部の接続関係の概要を示す概略分解斜視図である。図７（Ａ）は、この発明の実施形態にかかるローラースタンプ１００のノブ１１１を示す概略斜視図である。図７（Ｂ）は、図７（Ａ）におけるローラースタンプ１００のＣ−Ｃ部分の構成を含む概略正面図である。図８は、この発明の実施形態にかかるローラースタンプ１００のカムケース１１４を示す概略斜視図である。図９は、この発明の実施形態にかかるローラースタンプ１００のカムケース１１４をケース１０１の開口部１０５側から見た概略斜視図である。図１０は、この発明の実施形態にかかるローラースタンプ１００のカムケース１１４の突出部分１１４ａを含む概略正面図である。図１１は、この発明の実施形態にかかるローラースタンプ１００のカバー２１０の側板２１０ａおよび爪部２１０ｃと、ローラー保持枠２０４の凹部２０４ａを示す概略断面図である。なお、上記ノック機構の概要において説明した構成については説明を割愛する。
【００３８】
〔ノブの構成〕
図６および図７（Ａ）および図７（Ｂ）に示すように、ノブ１１１は、上面が曲面である筐体部分と、当該曲面の内側中央付近から下端側、すなわちカムケース１１４の突出部分１１４ａへ向かって、円筒状の突出部分１１１ａが設けられている。図７（Ａ）および図７（Ｂ）に示すように、突出部分１１１ａの突出端１１１ｂは、側面がジグザグに、すなわち略山型または略鋸歯形となるように形成されている。すなわち、突出端１１１ｂの端面は段状に形成されており、かつ端面の段の突出部分は刃のような形状となっている。また突出端１１１ｂ、端面の段と段との間は上端に向かって傾斜したテーパー面となっている。また、ノブ１１１の筐体部分の内側において、突出部分１１１ａの基部を囲うように、押圧部１１１ｃが形成されている。押圧部１１１ｃはスプリング１１２の上端と当接する部分である。さらにノブ１１１の側面には、当該ノブ１１１の押し下げ方向および第２ケース部材１０１ｃの回動方向Ｘ１（図２（Ａ）参照）と略直交する方向に突出するフック１１１ｅが設けられている。このフック１１１ｅは、次に説明するカムケース１１４のガイド溝１１４ｆに係合しており、ガイド溝１１４ｆにしたがってノブ１１１の上下動をガイドするものである。また、フック１１１ｅは、スプリング１１２の付勢力等によってノブ１１１がケース１０１から外れないようにするものである。
【００３９】
〔カムケースの構成〕
図６および図８に示すようにカムケース１１４は、ローラースタンプ１００の上端側、すなわちノブ１１１側に向かって開口された筐体部分と、平面状の底面の略中央付近から上端側へ突出する円筒状の突出部分１１４ａが設けられている。図８に示すようにこの突出部分１１４ａの突出端１１４ｃは、カム１１６の３箇所の翼部１１６ａと等間隔に三叉に分断されている。また突出端１１４ｃの内周面には、この分断された突出端１１４ｃの端面における隣接する弧と弧の間から下端へ向かって直線状に溝部１１４ｄが形成されている。この溝部１１４ｄはカム１１６の翼部１１６ａを通過可能な幅に形成される。さらにカム１１６の下端部分の半径と翼部１１６ａが側方に突出する長さを足した長さは、突出部分１１４ａにおける半径と溝部１１４ｄの深さを足した長さより短い。したがってカム１１６は、ノブ１１１がカム１１６を下端側に押し込み、翼部１１６ａが突出部分１１４ａの溝部１１４ｄの位置に合うような位置に回転されたとき、突出部分１１４ａの内部を通過する。
【００４０】
また図９および図１０に示すように、突出部分１１４ａの略中央にはノブ１１１の突出部分１１１ａのような、側面が略山型または略鋸歯形であって、端面が段状の係止部１１４ｈが形成されている。ここで、突出部分１１４ａの略中央とは、溝部１１４ｄに沿って突出端１１４ｃとカムケース１１４の底面とを結んだ線の略中間に位置する部分である。
【００４１】
また図９に示すように、突出部分１１４ａにおいて係止部１１４ｈより下端側は、翼部１１６ａを含んだカム１１６全体が回転可能な径となっている。すなわち、図９に示すように突出部分１１４ａにおける略中央からカムケース１１４の底面までの間にわたって、突出部分１１４ａに挿通されている翼部１１６ａが押し下げられている方向を軸として回転可能な径（または幅）となるように形成されている。
【００４２】
また図６および図８に示すように、カムケース１１４の側面には、スプリングロッド１１９が押し下げられる方向を長手方向とする直線状のレール部１１４ｅが設けられている。このレール部１１４ｅは、第１ケース部材１０１ａに設けられたガイド１０４等に沿って移動可能に係合する。ガイド１０４はレール部１１４ｅより若干幅が広く、かつカムケース１１４よりやや長い。すなわちレール部１１４ｅは、第１ケース部材１０１ａのガイド１０４にガイドされ、カムケース１１４をガイド１０４の長手方向にガイドするとともにカムケース１１４を支持するための部材である。
【００４３】
また図６および図８に示すように、カムケース１１４の側面においては、後述する第２ケース部材１０１ｃの突部１０１ｇの下端に当接する突起１１４ｇが設けられている。カムケース１１４の側面における突起１１４ｇの位置は、例えば図８に示すように下端側であって、かつ第２ケース部材１０１ｃが回動して離れていく方向の端部とすることが可能である。
【００４４】
〔カムにおける翼部の構成〕
図５（Ａ）および図５（Ｂ）に示すようにカム１１６における翼部１１６ａは、カム１１６の側面において等間隔かつ三叉に設けられている。またこの翼部１１６ａの上端、すなわちノブ１１１側の面は、テーパー状になっている。さらに当該面の傾斜は、突出端１１１ｂ、係止部１１４ｈの端面の傾斜に対応した傾斜となる。このように翼部１１６ａの傾斜を対応させることにより、ノブ１１１が押し下げられたとき、この翼部１１６ａ上端面と、突出端１１１ｂの下端面とが相対して接する。したがってノブ１１１が押し下げられると、翼部１１６ａの上端面が、突出端１１１ｂの下端面に対してスライドし、カム１１６が降下方向を軸として回転する。なお図３（Ａ）や図４（Ａ）等に示すように、ノブ１１１は第１ケース部材１０１ａの受入口の幅に対して上下動が可能な程度に若干狭く形成されている。したがってノブ１１１は第１ケース部材１０１ａの受入口の内面に抑制されて回転せず、カム１１６のみが回転する。
【００４５】
また、押し下げ操作によって、カム１１６がノブ１１１に押されて突出部分１１４ａ内を通過すると、翼部１１６ａの上端面は、係止部１１４ｈの下端面と接する。このとき翼部１１６ａの上端面は、スプリング１１７に押し上げられ、係止部１１４ｈの下端面に対してスライドする。さらに翼部１１６ａが回転していくことにより、翼部１１６ａ側面が係止部１１４ｈにおける突出部分の側面に接し、当該スライドが停止する。翼部１１６ａのスライドが停止されると、カム１１６の回転が止まる。
【００４６】
〔スプリングベースの構成〕
図６に示すようにスプリングベース１１８は、平板上の部分と、当該平板部分の側端に形成され、スプリングベース１１８をケース１０１に固定するための突部とを含んで構成されている。この突部によってスプリングベース１１８はケース１０１に固定される。また、スプリングベース１１８の平板部分にはその略中央部分にスプリングロッド１１９を挿通可能とする貫通孔が設けられている。この貫通孔はスプリング１１７の径よりやや小径に形成されているので、スプリング１１７は当該貫通孔を通過しない。
【００４７】
〔フレームおよびローラーの構成〕
図６に示すように、フレーム１２０はスプリングベース１１８の下端側に配置され、平板状の部分と当該平板部分の両側端から下端側へ向かって、当該平板部分と直交するように突出する一対の側板部分とを含んで形成されている。また、フレーム１２０の平板部分にはその略中央部分にスプリングロッド１１９の係合部１１９ｃが嵌め込まれる係合凹部が設けられている。図６に示すようにフレーム１２０の係合凹部は、図５（Ｄ）に示されるスプリングロッド１１９の下端の係合部１１９ｃを嵌め込み可能なように、係合部１１９ｃと相似の形状となっている。係合部１１９ｃがこの係合凹部に嵌め込まれることにより、スプリングロッド１１９とフレーム１２０とが固定される。
【００４８】
さらにフレーム１２０の側板部分には突出方向の先端側に後述のキャッチャー１２４を回転可能に保持する保持部分が一対設けられている。フレーム１２０は、当該保持部分に保持された一対のキャッチャー１２４およびローラー保持枠２０４を介してローラー２００を保持している。キャッチャー１２４の中心位置には、ローラー２００の回転軸であるローラーシャフト２０２を貫通させる貫通孔が設けられている。ローラーシャフト２０２はローラー保持枠２０４に設けられており、ローラー２００はこのローラーシャフト２０２を軸中心として回転自在である。
【００４９】
また図６に示すように、ローラー２００の回転軸の軸方向における両端面は、ローラー保持枠２０４に挟まれている。このローラー保持枠２０４は、ローラー２００の当該両端面に接し、ローラーシャフト２０２を保持している。またこのローラー保持枠２０４におけるローラー２００の端面側に対する反対側の面には、複数の凹部２０４ａが形成されている。この凹部２０４ａは、ローラー保持枠２０４の外側の面の外縁に沿って円環状に配列されている。この凹部２０４ａは、次に述べる側板２１０ａの爪部２１０ｃを係合させるものである。
【００５０】
〔キャッチャー、第１ケース部材のガイドおよびカバーの構成〕
図６に示すように第１ケース部材１０１ａには、上端側にガイド１０４が設けられ、ガイド１０４下端側にカムケース１１４の突起１１４ｇを受け入れる係合孔が設けられている。さらに下端側にはガイド１０３と、第２ケース部材１０１ｃの回動軸を受け入れる回動孔が設けられている。ガイド１０４は、ノブ１１１の押し下げ方向と同じ方向に長手方向を有する。またガイド１０４はカムケース１１４のレール部１１４ｅが係合される支持溝であり、レール部１１４ｅを介してカムケース１１４を第１ケース部材１０１ａにおいてガイド可能に支持する。
【００５１】
図６に示すように第１ケース部材１０１ａにおけるガイド１０３は、ノブ１１１の押し下げ方向や、スプリングロッド１１９の降下方向と同じ方向に長手方向を有している。このガイド１０３は、フレーム１２０を介したカートリッジの移動方向をガイドするとともに、ローラー２００を回転可能に支持している。さらにガイド１０３は、キャッチャー１２４とともにフレーム１２０の直線的な運動を、カバー２１０の回転運動に変え、押し下げ操作によるローラー２００の押出しと、カバー２１０の開放を連動して行うものである。
【００５２】
このキャッチャー１２４は、略円盤状に形成され、かつ第１ケース部材１０１ａ側と対向した面（軸受けと反対側の面）の略中心位置において、キャッチャー１２４と同心円状のピニオンギア１２４ａが形成されている。このピニオンギア１２４ａに対してガイド１０３には、キャッチャー１２４のピニオンギア１２４ａに噛み合うラックギア１０３ａが設けられている。
【００５３】
図６に示すようにカバー２１０は、ローラー２００の印面２１５を覆う円弧状に形成され、ローラー２００の印面２１５より外側に配置された曲面部分を有している。当該カバー２１０の曲面部分はローラー２００の印面２１５の曲率とほぼ同じ曲率である。また、カバー２１０の曲面部分から回転軸までの距離は、ローラー２００の印面２１５とその回転軸までの距離よりやや長くなっている。
【００５４】
また図６および図１１に示すようにカバー２１０は、ローラー２００の回転軸の軸方向の両端面を挟むローラー保持枠２０４のさらに外側にローラー保持枠２０４を挟むように形成された側板２１０ａが設けられている。この側板２１０ａはカバー２１０の曲面における円弧状の端部（カバー２１０の回転軸の軸方向の両端部）からカバー２１０の回転軸までの領域を覆う平板状の部材である。
【００５５】
また図１１に示すようにこの側板２１０ａにおけるローラー保持枠２０４側の面は、ローラー保持枠２０４側に突出する爪部２１０ｃが設けられている。この爪部２１０ｃは、ローラー保持枠２０４の凹部２０４ａに対応する位置に設けられる。この爪部２１０ｃは、ローラー２００が図１１のＸ２方向に回転すると、先端部分がローラー保持枠２０４の凹部２０４ａそれぞれに順次接触していく。またこの接触とは、ローラー２００の回転を阻害しない程度の接触である。換言すれば軽く引っかかる程度となる。
【００５６】
またカバー２１０の側板２１０ａには、ローラーシャフト２０２より若干径が大きく、かつローラーシャフト２０２によって、カバー２１０をローラー２００と独立に回転可能に支持するための支持孔が設けられている。この支持孔は、ローラーシャフト２０２の周囲を囲うように配置される。すなわち、カバー２１０はローラーシャフト２０２によって回転可能に支持され、かつローラー２００とは独立に回転される。
【００５７】
さらに図６に示すようにキャッチャー１２４には、中心に向かって一部が切れ欠かれている切欠部１２４ｃが設けられている。また、カバー２１０には支持孔に隣接して、同期突起２１４が設けられている。このキャッチャー１２４の切欠部１２４ｃは、カバー２１０の同期突起２１４を嵌め込み固定するものである。したがって、キャッチャー１２４が回転されると、同期突起２１４を介してカバー２１０が回転する。
【００５８】
以上が、本実施形態のローラースタンプ１００の各部の構成と、各部相互の接続関係である。
【００５９】
（ローラースタンプの各部の動作の詳細）
次に図１２Ａ〜図１２Ｃおよび図１３（Ａ）および図１３（Ｂ）を参照して、ローラースタンプ１００全体の動作の詳細について説明する。図１２Ａは、この発明の実施形態にかかるローラースタンプ１００において、収納時の内部の状態を示す概略切断端面図である。図１２Ｂは、この発明の実施形態にかかるローラースタンプ１００において、ノック途中の内部の状態を示す概略切断端面図である。図１２Ｃは、この発明の実施形態にかかるローラースタンプ１００において、使用時の内部の状態を示す概略切断端面図である。図１３（Ａ）は、この発明の実施形態にかかるローラースタンプ１００において、図３（Ａ）の状態と図３（Ｂ）の状態との間における、ノック途中の内部の状態を示す概略断面図である。図１３（Ｂ）は、図１３（Ａ）における状態を側方から見た場合の概略断面図である。なお、ローラー２００を含むカートリッジを交換する際のケース１０１の動作については別途説明する。
【００６０】
〔カートリッジ収納状態からノック途中の状態までの動作〕
操作者によりノブ１１１を押し下げる操作がなされると、ローラースタンプ１００は、図１２Ａに示す状態から、図１２Ｂに示す状態へと変化する。すなわち、ノブ１１１がフック１１１ｅを介しガイド溝１１４ｆにガイドされ、かつスプリング１１２の付勢力に抗して押し下げられる。ノブ１１１が押し下げられると、突出部分１１１ａの突出端１１１ｂが翼部１１６ａの上端面を押し下げるとともに、カム１１６が回転する。すなわち、突出端１１１ｂの下端面と翼部１１６ａの上端面とが対応した傾斜となっているため、翼部１１６ａの上端面が突出端１１１ｂに対してスライドする。このスライド動作によって、カム１１６が回転する。
【００６１】
カム１１６が回転すると、翼部１１６ａが突出端１１４ｃ上で回転し、当該翼部１１６ａがカムケース１１４の突出部分１１４ａにおける溝部１１４ｄの位置に到達する。このときカム１１６は突出部分１１４ａ内部を通過可能となる。さらにカム１１６が押し下げられると、図１２Ｂに示すように翼部１１６ａは当該溝部１１４ｄを通り、溝部１１４ｄにガイドされてカム１１６ごと降下する。カム１１６が降下すると、カム１１６の下端面によってスプリングロッド１１９が押し下げられ、フランジ１１９ａもスプリング１１７の付勢力に抗して降下する。この動作にともなって、スプリングロッド１１９および係合部１１９ｃに固定されたフレーム１２０も降下する。
【００６２】
このとき、上述のようにキャッチャー１２４はフレーム１２０に回転可能に保持されているので、フレーム１２０が押し下げられると、キャッチャー１２４は押し下げられる方向に直線的な力を受ける。ここで、ピニオンギア１２４ａはラックギア１０３ａに噛み合っているので、ラックギア１０３ａに沿って降下する（図１３（Ａ）参照）。このピニオンギア１２４ａに働く直線的な力は、ピニオンギア１２４ａとラックギア１０３ａとの作用によりピニオンギア１２４ａの回転に変わる。また、ピニオンギア１２４ａの回転とフレーム１２０の直線的運動は連動する。
【００６３】
キャッチャー１２４の切欠部１２４ｃには、カバー２１０の同期突起２１４が嵌め込まれている。したがって、図１３（Ｂ）に示すようにキャッチャー１２４の回転により、開口部１０５側に位置していたカバー２１０が回転され、ケース１０１の上端側に移動する。結果、カバー２１０はノブ１１１側に回転し、ローラー２００の印面２１５が露出する。なお、ラックギア１０３ａの長さ、ガイド１０３の位置、ピニオンギア１２４ａの径は、カバー２１０が１８０°回転するように構成される。
【００６４】
〔ローラースタンプの使用状態になるまでの動作〕
カム１１６が突出部分１１４ａの内部を通過し、さらにカム１１６が押し下げられると、翼部１１６ａの上端面が、突出部分１１４ａの中間位置にある係止部１１４ｈを通過する。この時点で、スプリング１１７は最も短縮された状態となる。このときローラー２００における開口部１０５からケース１０１外に望む部分は、当該開口部１０５の位置から突出する。
【００６５】
操作者によってノブ１１１が最も押し下げられた後、ノブ１１１を開放する操作がなされると、ノブ１１１に押し下げ力が働かなくなる。その結果、図１２Ｃに示すようにスプリング１１２の付勢力により、ノブ１１１がケース１０１の上端側へ移動する。あわせて、スプリングロッド１１９にも押し下げ力が働かなくなる。このとき、翼部１１６ａの上端面が係止部１１４ｈの下端面を越えていれば、スプリング１１７の付勢力によりカム１１６が上端側へ移動する。
【００６６】
さらに、翼部１１６ａの上端面と係止部１１４ｈの下端面とが当接して、さらにカム１１６が上端側へ移動しようとすると、当該下端面に沿って当該上端面がスライドし、回転する。この回転の結果、係止部１１４ｈの下端面の突出部分に翼部１１６ａが係止されるので、カム１１６は突出部分１１４ａの中間位置に留まる。本実施形態におけるローラースタンプ１００においては、このカム１１６の位置において、開口部１０５からローラー２００が突出し、その位置が保持される。この位置においてもローラー２００は回転自在となっている。
【００６７】
図１２Ｃに示すように、キャッチャー１２４とラックギア１０３ａによりカバー２１０はさらに回転し、カバー２１０の円弧の外側の面がノブ１１１側に臨む位置まで移動する。このようにして、ローラースタンプ１００におけるローラー２００の印面２１５がケース１０１外部に露出して、ローラースタンプ１００としての使用が可能な状態となる。カバー２１０は、キャッチャー１２４の回転によって移動する構成であるので、フレーム１２０の位置が移動しない限り回転しない。すなわち、ノブ１１１が再びカム１１６を押し下げない限り、カバー２１０は移動しない。
【００６８】
〔ローラースタンプの使用状態から収納状態になるまでの動作〕
操作者がローラースタンプ１００の使用状態において、ノブ１１１を押下し、ノブ１１１の突出端１１１ｂが、係止部１１４ｈの位置にあるカム１１６を押し下げると、当該使用状態が解除される。すなわちカム１１６が突出端１１１ｂによって押し下げられるので、翼部１１６ａが、係止部１１４ｈに係止されている状態から開放される。この状態において、ノブ１１１が開放される操作がなされると、スプリング１１７の付勢力によりスプリングロッド１１９とカム１１６とが上端側へ移動する。
【００６９】
さらに翼部１１６ａの上端面と係止部１１４ｈの下端面とが当接して、さらにカム１１６が上端側へ移動しようとすると、当該下端面に沿って当該上端面がスライドし、回転する。このスライド移動の結果、翼部１１６ａは下端側から溝部１１４ｄに入り、スプリング１１７の付勢力により、当該溝部１１４ｄに沿って上昇する。このとき、フレーム１２０はスプリングロッド１１９の上昇にともなって上昇する。その結果、キャッチャー１２４がピニオンギア１２４ａを介し、ラックギア１０３ａに沿って回転して上昇する。このキャッチャー１２４の回転により、ノブ１１１側に位置していたカバー２１０が逆回転され、ケース１０１の下端側に移動する。すなわち、カバー２１０は開口部１０５側に回転し、ローラー２００における開口部１０５の印面２１５は再びカバー２１０に覆われる。
【００７０】
（カートリッジの交換動作）
次に、図１４〜図１７を参照してローラースタンプ１００のケース１０１における第１ケース部材１０１ａと第２ケース部材１０１ｃとの係合部分の構造およびカバー２１０の回転に作用する当該係合部分の動作とともに、カートリッジ２１６の交換時の動作について説明する。図１４（Ａ）は、この発明の実施形態にかかるローラースタンプ１００において、第１ケース部材１０１ａのロック１０２が解除された状態を示す概略斜視図である。図１４（Ｂ）は、図１４（Ａ）の状態における内部構造を示す概略切断端面図である。図１５（Ａ）は、この発明の実施形態にかかるローラースタンプ１００において、第２ケース部材１０１ｃの突部１０１ｇがカムケース１１４の突起１１４ｇに係止された状態を示す概略断面図である。図１５（Ｂ）は、この発明の実施形態にかかるローラースタンプ１００において、突部１０１ｇと突起１１４ｇとの係止が解除された状態を示す概略断面図である。図１６（Ａ）〜（Ｃ）は、この発明の実施形態にかかるローラースタンプ１００において、突部１０１ｇと突起１１４ｇとの係止状態が解除されていく動作の過程の概略を示す概略断面図である。図１７（Ａ）は、この発明の実施形態にかかるローラースタンプ１００において、第２ケース部材１０１ｃが開かれ、交換可能となった状態を示す概略切断端面図である。図１７（Ｂ）は、この発明の実施形態にかかるローラースタンプ１００において、カートリッジ２１６が取り外された状態を示す概略切断端面図である。
【００７１】
図１４（Ａ）に示すように、ロック１０２を上端側にスライドする等、第１ケース部材１０１ａと第２ケース部材１０１ｃとの係合を解除する操作がされると、第２ケース部材１０１ｃのフック１０１ｅが、第１ケース部材１０１ａのロック１０２から解放され、第２ケース部材１０１ｃが回動可能となる。このようにフック１０１ｅがはずれると、突部１０１ｇと、カムケース１１４の突起１１４ｇ（図６等参照）との係合関係が解除される。その結果、突起１１４ｇを介してカムケース１１４をわずかに押し下げていた突部１０１ｇ（図１５（Ａ）参照）からの押し下げ力が、徐々に無くなっていく（図１６（Ａ）〜（Ｃ）参照）。さらに図１５（Ｂ）に示すように突部１０１ｇと、突起１１４ｇとの係合がなくなり、両者が完全に離れると、突起１１４ｇが押し下げていた分、スプリング１１７の付勢力によりフレーム１２０が上昇する。その結果、図１４（Ｂ）に示すように、キャッチャー１２４がラックギア１０３ａの上端まで回転する。その結果、カバー２１０は９０°第２ケース部材１０１ｃ側に回転する。
【００７２】
図１４（Ｂ）のように第１ケース部材１０１ａと第２ケース部材１０１ｃとのロックが外れた状態において第２ケース部材１０１ｃを第１ケース部材１０１ａに対して離隔させると、図１７（Ａ）に示すような状態となる。すなわち、操作者がローラー２００を把持する側をカバー２１０が覆う。さらにキャッチャー１２４も切欠部１２４ｃの切欠き方向がケース１０１の開放側へ向くようにされている。したがって、図１７（Ｂ）に示すようにカバー２１０ごとローラー２００が取り外し可能である。すなわちカートリッジ２１６が取り外し可能となる。
【００７３】
（作用・効果）
次に、第１実施形態にかかるローラースタンプ１００の作用・効果について説明する。
【００７４】
本実施形態にかかるローラースタンプ１００は、ノブ１１１の押出し操作によって、フレーム１２０の直線的な移動をキャッチャー１２４の回転移動に変換する。この直線的な移動と回転移動とは連動している。したがって、ローラースタンプ１００の使用時と非使用時の切替を容易に行うことができる。
【００７５】
またカバー２１０は、使用状態においても、非使用状態においても、ノブ１１１が最も押し込まれた状態の付近まで移動されて始めてカバー２１０の位置が移動し、ローラー２００の位置が保持される。したがって、非使用時はカートリッジ２１６全体がケース１０１に収容されるだけでなく、カバー２１０が開口部１０５側を覆っており、その非使用状態も操作者による意図的な操作によらなければ、使用状態に移行され難い。その結果、ローラースタンプ１００の非使用時に誤ってローラー２００の印面２１５が露出される事態を防止することが可能である。また、使用時においても操作者が意図的にノブ１１１の押し込み操作を行わなければ、非使用時に切り替わり難い。したがって使用時に誤って、ローラー２００を含むカートリッジ２１６が収容されてしまう事態を防止することが可能である。
【００７６】
さらに本実施形態にかかるローラースタンプ１００は、含浸インクを使用している。含浸インクは使用に応じて減少していくためインクが尽きる場合がある。この場合、操作者がカートリッジ２１６を交換することにより、再度ローラースタンプ１００による被転写体への印字が可能となる。また、操作者が印面２１５の印字内容（印字する種類、印字サイズ等）を変更したい場合も、別の種類の印面２１５が設けられたローラー２００を含むカートリッジ２１６を交換することで、操作者の任意の印面に変更することができる。このような場合、本実施形態におけるローラースタンプ１００は、カートリッジ２１６の交換時において、カートリッジ２１６の取り外し方向にカバー２１０が回転する。したがって、操作者は交換作業時にカバー２１０を把持してローラー２００（カートリッジ２１６）を取り外すことにより、手を汚さずに交換を行うことが可能である。
【００７７】
さらにローラースタンプ１００は、使用時においてノブ１１１がケース１０１の上端位置まで戻るので、印字作業を阻害する事態を回避することが可能である。
【００７８】
さらにローラースタンプ１００は、使用時においてローラー２００の回転にしたがって、ローラー保持枠２０４の凹部２０４ａそれぞれにカバー２１０の側板２１０ａの爪部２１０ｃが接触し、ローラー２００の回転動作にわずかな抵抗を与え当該抵抗が、ケース１０１に伝達する。したがって、操作者は、印字操作のときにローラー２００の回転を確認することが可能となる。すなわち操作者に使用感を与えることが可能となる。
【符号の説明】
【００７９】
１００  ローラースタンプ
１０１  ケース
１０１ａ  第１ケース部材
１０１ｃ  第２ケース部材
１０１ｅ  フック
１０１ｇ  突部
１０２  ロック
１０３  ガイド
１０３ａ  ラックギア
１０４  ガイド
１０５  開口部
１１０  ノック機構
１１１  ノブ
１１１ａ  突出部分
１１１ｂ  突出端
１１１ｃ  押圧部
１１１ｅ  フック
１１２  スプリング
１１４  カムケース
１１４ａ  突出部分
１１４ｃ  突出端
１１４ｄ  溝部
１１４ｅ  レール部
１１４ｇ  突起
１１４ｈ  係止部
１１６  カム
１１６ａ  翼部
１１７  スプリング
１１８  スプリングベース
１１９  スプリングロッド
１１９ａ  フランジ
１１９ｃ  係合部
１２０  フレーム
１２４  キャッチャー
１２４ａ  ピニオンギア
１２４ｃ  切欠部
２００  ローラー
２０２  ローラーシャフト
２０４  ローラー保持枠
２１０  カバー
２１０ａ  側板
２１４  同期突起
２１５  印面
２１６  カートリッジ
【図１】
2011143624.tif 000003
【図２】
2011143624.tif 000004
【図３】
2011143624.tif 000005
【図４】
2011143624.tif 000006
【図５】
2011143624.tif 000007
【図６】
2011143624.tif 000008
【図７】
2011143624.tif 000009
【図８】
2011143624.tif 000010
【図９】
2011143624.tif 000011
【図１０】
2011143624.tif 000012
【図１１】
2011143624.tif 000013
【図１２Ａ】
2011143624.tif 000014
【図１２Ｂ】
2011143624.tif 000015
【図１２Ｃ】
2011143624.tif 000016
【図１３】
2011143624.tif 000017
【図１４】
2011143624.tif 000018
【図１５】
2011143624.tif 000019
【図１６Ａ】
2011143624.tif 000020
【図１６Ｂ】
2011143624.tif 000021
【図１６Ｃ】
2011143624.tif 000022
【図１７】
2011143624.tif 000023